(57)【要約】      （修正有）【課題】汚水がボウル部から溢れるのを確実に防止する水洗トイレ装置を提供する。【解決手段】便器本体２内の上半部に設けられているボウル部３の内面の上部に、オーバーフロー水用の開口７を形成し、ボウル部３内に、開口７からボウル部３の内方に間隙を存して開口７を覆う侵入防止板８を設けると共に、侵入防止板８の端縁を迂回してボウル部３内から開口７に至る流水路を形成する。【選択図】図２
2020186528.tif 000002
【特許請求の範囲】
【請求項１】
便器本体内の上半部に設けられているボウル部の内面の上部に、オーバーフロー水用の開口を形成し、該ボウル部内に、該開口から該ボウル部の内方に間隙を存して該開口を覆う侵入防止板を設けると共に、該侵入防止板の端縁を迂回して前記ボウル部内から前記開口に至る流水路を形成する水洗トイレ装置。
【請求項２】
前記開口は、前記内面に複数形成し、これら複数の開口の全てが前記侵入防止板により間隙を存して覆われている請求項１に記載の水洗トイレ装置。
【請求項３】
前記間隙は、前記侵入防止板と前記ボウル部との内方に指が入りにくい狭い間隙である請求項１又は請求項２に記載の水洗トイレ装置
【請求項４】
前記便器本体の外側面にオーバーフロー水タンクを設け、前記開口が該オーバーフロー水タンクに連通している請求項１乃至請求項３のいずれか１に記載の水洗トイレ装置。
【請求項５】
前記オーバーフロー水タンクの下面の開口に、トラップを介在した排水管の上端部を接続した請求項４に記載の水洗トイレ装置。
【請求項６】
前記ボウル部の上縁端に設けた洗浄水の管路に、前記オーバーフロー水タンク内に進出する分岐管を分岐接続し、該分岐管の下面に、該オーバーフロー水タンク内に洗浄水を吐出する吐出口を形成した請求項４又は請求項５に記載の水洗トイレ装置。
【請求項７】
前記オーバーフロー水タンクは着脱式に形成されている請求項４乃至請求項６のいずれか１に記載の水洗トイレ装置
【発明の詳細な説明】
【技術分野】
【０００１】
本発明は、精神科の病院等において使用されるのに好適な水洗トイレ装置に関する。
【背景技術】
【０００２】
従来のこの種のトイレ装置として、便器のボウル部にトイレットペーパーや布等により詰まって排水ができず汚水がボウル部から溢れるのを防止するために、便器のボウル部の上部にオーバーフロー用の排水口を開口し、該排水口を、前記便器の外部に配設するトラップを介して前記便器の排水管に接続したものが知られている（特許文献１参照）。
【先行技術文献】
【特許文献】
【０００３】
【特許文献１】特許第４３９８８４９号公報
【発明の概要】
【発明が解決しようとする課題】
【０００４】
しかし、この従来のトイレ装置によると、精神科の病院において精神疾患の患者がトイレにおいて故意に大量のトイレットペーパー或いは布等を便器のボウル部内に突っ込んで該ボウル部の排水口と共に前記オーバーフロー用の排水口の開口をも閉塞してしまって排水が全くされず汚水が前記ボウル部から溢れて床面を水浸しにする問題点があった。
【０００５】
本発明はこのような問題点を解消し、汚水がボウル部から溢れるのを確実に防止する水洗トイレ装置を提供することを目的とする。
【課題を解決するための手段】
【０００６】
本発明はこの目的を達成すべく、便器本体内の上半部に設けられているボウル部の内面の上部に、オーバーフロー水用の開口を形成し、該ボウル部内に、該開口から該ボウル部の内方に間隙を存して該開口を覆う侵入防止板を設けると共に、該侵入防止板の端縁を迂回して前記ボウル部内から前記開口に至る流水路を形成する。
【発明の効果】
【０００７】
本発明によれば、精神科の病院において精神疾患の患者がトイレにおいて故意に大量のトイレットペーパー或いは布等を便器のボウル部内に突っ込んでも、侵入防止板によりトイレットペーパー或いは布等がオーバーフロー水用の開口を塞ぐことがなく、汚水がボウル部からオーバーフローして床面を水浸しにすることを確実に防止できる効果がある。
【図面の簡単な説明】
【０００８】
【図１】本発明の実施例１の水洗トイレ装置の截断正面図である。
【図２】図１のII−II線截断面図である。
【図３】該水洗トイレ装置の右側面図である。
【図４】要部の拡大断面図である。
【図５】侵入防止板の正面図である。
【発明を実施するための形態】
【０００９】
本発明を実施するための形態の実施例を以下に示す。
【実施例１】
【００１０】
本発明の水洗トイレ装置の実施例１を図面により説明する。
【００１１】
図１は本発明の実施例１の水洗トイレ装置の截断正面図、図２は図１のII−II線截断面図、図３は該水洗トイレ装置の右側面図、図４は要部の拡大断面図、図５は侵入防止板の正面図である。
【００１２】
１は実施例１の水洗トイレ装置、２は該水洗トイレ装置１のステンレス製の便器本体、３は該便器本体２内の上半部に設けられ汚物を受ける部分のステンレス製のボウル部を示し、該ボウル部３の下部の汚水開口３Aには、主トラップ４を介在した汚水管５の先端部が接続されており、又、前記便器本体２の上縁部内で前記ボウル部３の上縁端上に、洗浄水を噴射する複数の噴射口が形成されている洗浄水のステンレス製の管路６が設けられている。
【００１３】
又、前記ボウル部３の内面の上部で前記管路６の真下に複数のオーバーフロー用の開口７が形成されており、これら開口７において、中央の主開口７Aは、前記ボウル部３の上縁部の切欠き部により前記管路６の真下に左右に延びる横長の長方形状に形成され、又、前記主開口７Aの左右の補助開口７B、７Cも、前記主開口７Aと同様に前記ボウル部３の上縁部の切欠き部により前記管路６の真下に左右に延びる横長の長方形状に形成さている。
【００１４】
８は侵入防止板を示し、該侵入防止板８は、図５に示す如く左右に長い逆台形状のステンレス製の垂直板からなり、該垂直板を湾曲状に曲げて図４に示す如く前記管路６の内側に固定すると共に便座９の下面に当接し、該侵入防止板８を、前記主開口７Aと前記補助開口７B、７Cから前記ボウル部３の内方に指が入らず異物も挟みにくい狭い間隙Gを存してこれら主開口７Aと補助開口７B、７Cを覆うように設け、該侵入防止板８の下端縁を迂回して前記ボウル部３内からこれら主開口７Aと補助開口７B、７Cに至るオーバーフロー水の流水路７Dを形成する。ここで、前記間隙Gは１０ミリメートルが好ましい。
【００１５】
又、前記便器本体２の外周面で前記主開口７Aの外方位置に、着脱式のステンレス製のオーバーフロー水タンク１０を設け、該オーバーフロー水タンク１０には前記主開口７Aから直接に連通し、又、前記補助開口７B、7Cからも前記ボウル部３の外周上縁部の外方に形成した流路１１を介して連通しており、該該オーバーフロー水タンク１０の底面の開口１０Aにはトラップ１２を介在した排水管１３が接続している。
【００１６】
又、前記管路６には前記オーバーフロー水タンク１０内の上方部に延長する分岐管１４を接続し、該分岐管１４は、先端を閉塞すると共に下側面に前記オーバーフロー水タンク１０内に洗浄水を吐出する吐出口１４Aを形成した。
【００１７】
次に本実施例１の水洗トイレ装置１の作用と効果を説明する。
【００１８】
トイレ装置１の通常の使用においては、使用者が用を足した後に洗浄水の例えば操作ボタンを押すことにより、洗浄水が前記管路６の複数の噴射口より噴射して前記ボウル部３内の汚物を、前記汚水開口３Aを介して前記汚水管５より排出する。
【００１９】
ところが、精神疾患の患者がトイレにおいて大量のトイレットペーパー或いは布等を便器本体２のボウル部３内に突っ込んで前記汚水開口３Aからの汚水の排出を止めてしまうと、汚水は、前記流水路７Dを経て図４のF矢印の如く流れて前記主開口７Aと補助開口７B、７Cに至り、図２のX矢印の如く前記主開口７Aから、又図２のY矢印やZ矢印の如く左右の前記補助開口７B、７Cから前記オーバーフロー水タンク１０内に流入し、その後、該オーバーフロー水タンク１０の底面の開口１０Aからトラップ１２を介在した前記排水管１３より流出する。
【００２０】
このとき、トイレットペーパー或いは布等の一部が前記主開口７A或いは左右の前記補助開口７B、７Cに汚水と共に侵入しようとしても前記侵入防止板８により侵入が防止され、前記主開口７Aと左右の前記補助開口７B、７Cからの汚水の流出が維持され、汚水がオーバーフローすることがない。又、万が一、前記トイレットペーパー或いは布等の一部が前記侵入防止板８の下端縁の下方を回り込んで前記主開口７A或いは左右の前記補助開口７B、７Cのいずれか一方を塞ぐようなことがあっても他方の開口から汚水の流出が可能であるので、汚水がオーバーフローすることがない。
【００２１】
ここで、前記オーバーフロー水タンク１０においては、便器を使用して洗浄水を前記管路６の複数の噴射口より噴射する毎に該管路６内の洗浄水の一部が前記分岐管１４内に流入して前記吐出口１４Aより前記オーバーフロー水タンク１０内に補充して前記トラップ１２内に洗浄水を満たし、悪臭の逆流を防止している。又、逆に該トラップ１２から汚水が逆流しても該オーバーフロー水タンク１０内で留まり、汚水が前記主開口７A或いは左右の前記補助開口７B、７Cに至ることがない。
【００２２】
又、前記オーバーフロータンク１０が着脱式に形成されているので、該オーバーフロー水タンク１０内の汚水による感染症や悪臭が発生するおそれがある場合には、該オーバーフロー水タンク１０を前記便器本体２の外周面から外して該オーバーフロー水タンク１０内の清掃を容易に行なうことができる。
【００２３】
尚、前記実施例では、前記開口７A、７B、7Cを前記ボウル部３の上縁部の切欠き部により前記管路６の真下に左右に延びる横長の長方形状に形成したが、前記ボウル部３に開口を直接形成してもよく、又、前記開口は１個或いは複数個あればいずれの個数でもよい。
【００２４】
又、前記侵入防止板８については、前記オーバーフロー用の開口の内方で間隙を存し、且つこれら開口を覆うように形成されていれば、いずれの形状であってもよく、又、前記流水路７Dについては、前記侵入防止板８の上端縁或いは側端縁を迂回するように形成してもよい。
【産業上の利用可能性】
【００２５】
本発明の水洗トイレ装置は、特に精神科の病院等において使用される。
【符号の説明】
【００２６】
１      水洗トイレ装置
２      便器本体
３      ボウル部
６      洗浄水管路
７      オーバーフロー用開口
７D     流水路
８      侵入防止板
１０      オーバーフロー水タンク
１２      トラップ
１３      排水管
１４      分岐管
１４A     吐出口
D         間隙
【図１】
2020186528.tif 000003
【図２】
2020186528.tif 000004
【図３】
2020186528.tif 000005
【図４】
2020186528.tif 000006
【図５】
2020186528.tif 000007